(57)【特許請求の範囲】
【請求項１】
住宅の玄関ポーチに面する壁又は柱の側面に取り付けられるブラケットと該ブラケットの支持部に取り付けられるカウンター天板とから構成するとともに、前記玄関ポーチを照らすフットライトが配置される照明用開口を前記ブラケットに形成したことを特徴とする玄関ポーチ用カウンター。
【請求項２】
前記カウンター天板を前記ブラケットに対して着脱自在とするとともに、前記フットライトを前記ブラケットに取り付けて一体化した請求項１記載の玄関ポーチ用カウンター。
【請求項３】
請求項１又は請求項２記載の玄関ポーチ用カウンターを、置物載置が可能な置物載置用カウンターとして兼用することを特徴とする住宅の玄関ポーチ構造。
【請求項４】
請求項１又は請求項２記載の玄関ポーチ用カウンターを荷物の仮置き又は腰掛けに用いることを特徴とする住宅の玄関ポーチ構造。
【請求項５】
請求項１又は請求項２記載の玄関ポーチ用カウンターを構成する前記壁又は柱を、前記玄関ポーチのコーナー部に立設された目隠し壁としたことを特徴とする住宅の玄関ポーチ構造。
【請求項６】
請求項１又は請求項２記載の玄関ポーチ用カウンターの直上位置にダウンライトがくるように該ダウンライトを前記玄関ポーチの上方に設置したことを特徴とする住宅の玄関ポーチ構造。
【発明の詳細な説明】
【０００１】
【発明の属する技術分野】
本発明は、住宅の玄関ポーチ構造及びそれに用いる玄関ポーチ用カウンターに関する。
【０００２】
【従来の技術】
住宅の玄関には、通常、玄関扉を開いたり複数の来訪者がスムーズに出入りできるよう、屋外側に玄関ポーチと呼ばれるスペースを設けてある。
【０００３】
かかる玄関ポーチは、道路側からのアプローチにもよるが、来訪者ではない第三者であっても、道路側から自然に目に入ることが多いため、玄関も含めて、意匠に重点をおいた設計になることが多い。
【０００４】
【発明が解決しようとする課題】
しかしながら、買物袋などの荷物を持ったまま玄関扉を開けようとしても、手がふさがっていて鍵を取り出すことができず、日常的に不便を感じるという問題を生じていた。
【０００５】
また、高齢者や身障者あるいは心肺機能が弱い者にとっては、玄関の前でいったん荷物を降ろして休息したい、あるいは散歩程度であってもいったん休息したいと思うことが少なくないが、現在の玄関ポーチの設計では、上述したように意匠重視の設計になっているため、このようなニーズに応えることができないという問題も生じていた。
【０００６】
ちなみに、かかる状況は、帰宅時のみならず外出時にも同様に生じる。
【０００７】
本発明は、上述した事情を考慮してなされたもので、玄関あるいは玄関ポーチの意匠を損なうことなく、高齢者等に配慮した玄関ポーチとすることが可能な住宅の玄関ポーチ構造及びそれに用いる玄関ポーチ用カウンターを提供することを目的とする。
【０００８】
【課題を解決するための手段】
上記目的を達成するため、本発明に係る玄関ポーチ用カウンターは請求項１に記載したように、住宅の玄関ポーチに面する壁又は柱の側面に取り付けられるブラケットと該ブラケットの支持部に取り付けられるカウンター天板とから構成するとともに、前記玄関ポーチを照らすフットライトが配置される照明用開口を前記ブラケットに形成したものである。
【０００９】
また、本発明に係る玄関ポーチ用カウンターは請求項２に記載したように、前記カウンター天板を前記ブラケットに対して着脱自在とするとともに、前記フットライトを前記ブラケットに取り付けて一体化したものである。
【００１０】
また、本発明に係る住宅の玄関ポーチ構造は、請求項１又は請求項２記載の玄関ポーチ用カウンターを、置物載置が可能な置物載置用カウンターとして兼用するものである。
【００１１】
また、本発明に係る住宅の玄関ポーチ構造は、請求項１又は請求項２記載の玄関ポーチ用カウンターを荷物の仮置き又は腰掛けに用いるものである。
【００１２】
また、本発明に係る住宅の玄関ポーチ構造は、請求項１又は請求項２記載の玄関ポーチ用カウンターを構成する前記壁又は柱を、前記玄関ポーチのコーナー部に立設された目隠し壁としたものである。
【００１３】
また、本発明に係る住宅の玄関ポーチ構造は、請求項１又は請求項２記載の玄関ポーチ用カウンターの直上位置にダウンライトがくるように該ダウンライトを前記玄関ポーチの上方に設置したものである。
【００１７】
本発明に係る住宅の玄関ポーチ構造においては、住宅の玄関ポーチに荷物の仮置き又は腰掛けが可能なカウンターを設置してあり、帰宅時においては、まず、カウンターに荷物を仮置きし、次いで鍵を取り出して玄関ドアを解錠し、しかる後、仮置きした荷物を持って玄関に入る。外出時においても同様であり、まず、カウンターに荷物を仮置きし、次いで鍵を取り出して玄関ドアを施錠し、しかる後、仮置きした荷物を持って外出する。
【００１８】
このようにすると、カウンターに荷物を仮置きすることによって両手が自由になり、その状態で鍵を取り出して玄関の開閉を行うことが可能となるため、荷物が多かったり重かったりする場合でも開閉作業を容易に行うことができる。特に、高齢者や身障者にとっては玄関ドアの開閉作業を行う際の負担が大幅に軽減される。また、歩行に供される玄関ポーチではなくカウンターに荷物を置くことになるため、荷物が汚れるおそれもない。
【００１９】
一方、カウンターを腰掛けのためのスペースとして使用することもでき、かかる場合には、例えば高齢者や身障者が腰掛けて休憩することが可能となる。
【００２４】
上述したカウンター、仮置き用カウンター又は腰掛け用カウンターは、物を置いたり、腰掛けたりすることができるのであれば、構造や形状は任意であり、例えば、玄関ポーチのコーナー部に三角形状や扇形状に設けたり、玄関脇の袖壁に沿って矩形状に設けたりすることが考えられる。なお、カウンター、仮置き用カウンター又は腰掛け用カウンターの設置高さについては、仮置きや腰掛け等の用途を考慮して適宜設定すればよい。
【００２５】
また、玄関ポーチに設置するカウンター、仮置き用カウンター又は腰掛け用カウンターの数についても任意であり、１箇所に設けるようにしてもかまわないし、複数箇所に設けるようにしてもかまわない。
【００２６】
また、カウンター、仮置き用カウンター又は腰掛け用カウンターを玄関ポーチのどの場所に設けるかも任意であるが、玄関ポーチに目隠し壁を立設し、該目隠し壁の玄関ポーチ側にカウンター、仮置き用カウンター又は腰掛け用カウンターを設置した場合においては、目隠し壁によって道路等の敷地外領域からの視線からカウンター、仮置き用カウンター又は腰掛け用カウンターが遮られるため、荷物を置いたり腰掛けたりした場合であっても敷地外領域からは見えにくく、玄関ポーチの意匠性が損なわれることはない。
【００２７】
目隠し壁は、敷地外領域からの視線からカウンター、仮置き用カウンター又は腰掛け用カウンターを遮ることができるのであればどのように構成するかは任意であり、独立壁として立設してもかまわないし、住宅の外壁から延設してもかまわない。また、玄関ポーチが道路と隣接している場合などは敷地を囲む塀を目隠し壁として兼用してもかまわない。また、目隠し壁を住宅の構造壁とし又は目隠し壁の壁体内に構造柱を設けてもかまわない。
【００２８】
また、カウンター、仮置き用カウンター又は腰掛け用カウンターを置物載置が可能な置物載置用カウンターとして兼用する場合においては、普段は仮置き用又は腰掛け用として使用するとともに、来客時などには、置物載置のためのスペースとして使用し、該置物載置用カウンターに花や置物などの観賞物を置くことによって、カウンター、仮置き用カウンター又は腰掛け用カウンターが飾り棚となり、玄関ポーチの意匠性が向上する。
【００２９】
特に、かかる置物載置用カウンターの上面を照らすダウンライトを玄関ポーチの上方に設置した場合においては、置物載置用カウンターが玄関ポーチのコーナー部など玄関の照明が届きにくい場所に設けられている場合であっても、置物をライトアップする演出効果が期待できる。
【００３０】
ダウンライトは、置物載置用カウンターの上面を照らすことができるのであれば、どのように構成するかは任意であり、埋込み型にするかどうかは問わない。すなわち、本発明のダウンライトとは、住宅用語として通常使用する天井埋込型照明器具のみに限定されるものではなく、下方を照らす照明器具を広く意味するものであり、例えば玄関ポーチの天井から突出する形式のスポットライト等も含まれる。
【００３１】
また、ダウンライトは、置物載置用カウンターの上面を照らすことができるように玄関ポーチの上方に設置されるのであれば、その設置位置についても任意であり、玄関ポーチの天井に設置してもかまわないし、目隠し壁や住宅の外壁など玄関ポーチ近傍の壁に設置してもかまわない。
【００３２】
一方、カウンター、仮置き用カウンター又は腰掛け用カウンターの下方に玄関ポーチを照らすフットライトを取り付けた場合においては、カウンター、仮置き用カウンター又は腰掛け用カウンターで玄関照明の光が遮られた玄関ポーチのコーナー部等をフットライトで明るくして意匠性を高めることができるとともに、玄関ポーチ中央部をも明るく照らすことが可能となる。
【００３３】
フットライトは、玄関ポーチを照らすことができるのであれば、どのように構成するかは任意である。また、カウンター、仮置き用カウンター又は腰掛け用カウンターの下方であれば、その設置位置も任意であり、カウンター、仮置き用カウンター又は腰掛け用カウンターの下面に取り付けてもかまわないし、目隠し壁や住宅の外壁などカウンター、仮置き用カウンター又は腰掛け用カウンターを設置した壁に取り付けてもかまわない。
【００３４】
ここで、フットライトを取り付けるにあたっては、玄関ポーチ用カウンターを、住宅の玄関ポーチに面する壁又は柱の側面に取り付けられるブラケットと該ブラケットの支持部に取り付けられるカウンター天板とから構成するとともに、玄関ポーチを照らすフットライトが配置される照明用開口をブラケットに形成して構成し、該玄関ポーチ用カウンターにフットライトを取り付ける。
【００３５】
このようにすると、カウンター天板を支持するためのブラケットが設けられている場合でも、ブラケットと干渉することなくフットライトを取り付けることができるとともに、１つのフットライトでブラケットの両側に均等に配光することが可能となる。
【００３６】
ブラケットは、壁又は柱の側面に取り付けてカウンター天板を支持することができるとともに、フットライトを配置する照明用開口が形成されているのであれば、どのように構成するかは任意である。例えば、扇形状の板に開口を設けて構成したり、三角形状のフレームで構成したりすることが考えられる。
【００３７】
また、カウンター天板をブラケットに対して着脱自在とするとともに、フットライトをブラケットに取り付けて一体化してもかまわない。
【００３８】
かかる場合においては、玄関ポーチ用カウンターは予めフットライトが取り付けられた状態となっているため、玄関ポーチ用カウンターを設置後に別途フットライトを取り付ける必要がなくなり、設置作業が簡易化される。また、カウンター天板を着脱自在としているため、用途や好みに応じてカウンター天板を適宜選択したり、傷んだり古くなったりしたカウンター天板を新しいものに取り替えたりすることも可能となる。
【００３９】
【発明の実施の形態】
以下、本発明に係る住宅の玄関ポーチ構造及びそれに用いる玄関ポーチ用カウンターの実施の形態について、添付図面を参照して説明する。なお、従来技術と実質的に同一の部品等については同一の符号を付してその説明を省略する。
【００４０】
（第１実施形態）
【００４１】
図１は、本実施形態に係る住宅の玄関ポーチ構造を示した平面図である。同図に示したように、本実施形態に係る住宅の玄関ポーチ構造１は、住宅の玄関２の屋外側に矩形状の玄関ポーチ３を設けてあるが、該玄関ポーチのコーナー部には目隠し壁４、４を立設してあり、該目隠し壁の玄関ポーチ３側に、荷物の仮置きや腰掛けが可能なカウンター５をそれぞれ設置してある。
【００４２】
目隠し壁４は、道路や隣地といった敷地外領域からの視線からカウンター５を遮ることができるよう、玄関ポーチ３のコーナーに沿ってＬ字状の独立壁として立設してある。
【００４３】
カウンター５は、平面形状が扇形となるように構成してあり、その上面に荷物を仮置きしたり、腰掛けたりできるようになっているとともに、置物載置が可能な置物載置用カウンターとして兼用できるようになっている。なお、カウンター５の設置高さについては、仮置きや腰掛け等の用途を考慮して適宜設定すればよい。
【００４４】
ここで、各カウンター５の下方には、それぞれフットライト６を取り付けてある。
【００４５】
図２は、図１のＡ−Ａ線に沿う断面図である。同図でよく分かるように、フットライト６は、カウンター５の下方であって該カウンターを設置した目隠し壁４の壁面に取り付けてあり、玄関ポーチ３を照らすようになっている。
【００４６】
一方、玄関ポーチ３の上方には、天井埋込型の照明器具で構成されたダウンライト７を各カウンター５の直上位置にくるようにそれぞれ設置してあり、カウンター５の上面を照らすようになっている。
【００４７】
なお、玄関ポーチ３には、玄関ドア８に対向する位置に階段１０が設けてあるとともに、玄関ドア８の脇には玄関用照明９が設置してある。
【００４８】
本実施形態に係る住宅の玄関ポーチ構造１においては、住宅の玄関ポーチ３に荷物の仮置き又は腰掛けが可能なカウンター５を設置してあり、帰宅時においては、まず、カウンター５に荷物を仮置きし、次いで鍵を取り出して玄関ドア８を解錠し、しかる後、仮置きした荷物を持って玄関２に入る。外出時においても同様であり、まず、カウンター５に荷物を仮置きし、次いで鍵を取り出して玄関ドア８を施錠し、しかる後、仮置きした荷物を持って外出する。
【００４９】
このようにすると、カウンター５に荷物を仮置きすることによって両手が自由になり、その状態で鍵を取り出して玄関ドア８の開閉を行うことが可能となるため、荷物が多かったり重かったりする場合でも開閉作業を容易に行うことができる。
【００５０】
一方、カウンター５を腰掛けのためのスペースとして使用することもでき、かかる場合には、例えば高齢者や身障者が腰掛けて休憩するのにカウンター５を利用することとなる。
【００５１】
また、来客時などには、カウンター５を置物載置のためのスペースとして使用し、かかる置物載置用カウンターに花や置物などの観賞物を置くことによって、カウンター５が飾り棚となり、玄関ポーチ３の意匠性が向上する。
【００５２】
また、夜においては、ダウンライト７を点灯してカウンター５の上面を照らしたり、フットライト６を点灯して、カウンター５の下方を含む玄関ポーチ３を照らしたりする。
【００５３】
以上説明したように、本実施形態に係る住宅の玄関ポーチ構造１によれば、住宅の玄関ポーチ３に荷物の仮置き又は腰掛けが可能なカウンター５を設置したので、カウンター５に荷物を仮置きすることによって両手が自由になり、その状態で鍵を取り出して玄関ドア８の開閉を行うことが可能となるため、荷物が多かったり重かったりする場合でも開閉作業を容易に行うことができる。特に、高齢者や身障者にとっては玄関ドア８の開閉作業を行う際の負担が大幅に軽減される。また、歩行に供される玄関ポーチ３ではなくカウンター５に荷物を置くことになるため、荷物が汚れるおそれもない。
【００５４】
一方、カウンター５を腰掛けのためのスペースとして使用することもでき、かかる場合には、例えば高齢者や身障者が腰掛けて休憩することが可能となる。
【００５５】
また、本実施形態に係る住宅の玄関ポーチ構造１によれば、玄関ポーチ３に目隠し壁４を立設し、該目隠し壁の玄関ポーチ３側にカウンター５を設置したので、目隠し壁４によって道路等の敷地外領域からの視線からカウンター５が遮られるため、カウンター５に荷物を置いたり腰掛けたりした場合であっても敷地外領域からは見えにくく、玄関ポーチ３の意匠性が損なわれることはない。
【００５６】
また、本実施形態に係る住宅の玄関ポーチ構造１によれば、カウンター５を置物載置が可能な置物載置用カウンターとして兼用するようにしたので、来客時などには、置物載置のためのスペースとして使用し、該置物載置用カウンターに花や置物などの観賞物を置くことによって、カウンター５が飾り棚となり、玄関ポーチの意匠性が向上する。
【００５７】
また、本実施形態に係る住宅の玄関ポーチ構造１によれば、カウンター５の上面を照らすダウンライト７を玄関ポーチ３の上方に設置したので、置物載置用カウンターが玄関ポーチ３のコーナー部など玄関用照明９が届きにくい場所に設けられている場合であっても、置物をライトアップする演出効果が期待できる。
【００５８】
また、本実施形態に係る住宅の玄関ポーチ構造１によれば、カウンター５の下方に玄関ポーチ３を照らすフットライト６を取り付けたので、カウンター５で玄関用照明９の光が遮られた玄関ポーチ３のコーナー部等をフットライト６で明るくして意匠性を高めることができるとともに、玄関ポーチ３中央部をも明るく照らすことが可能となる。
【００５９】
本実施形態では、玄関ポーチ３のコーナー部にカウンター５を２箇所設置するようにしたが、設置するカウンター５の数は任意であり、例えば、図３(a)に示すように、カウンター５を１箇所にだけ設けるようにしてもかまわない。また、カウンター５を設置する場所についても任意であり、例えば、図３(b)に示すように、玄関ドア８の脇にカウンター５ａを設けるようにしてもかまわない。
【００６０】
また、本実施形態では、目隠し壁４を独立壁として立設するようにしたが、住宅や玄関ポーチの配置等によっては、独立壁とせずに住宅の外壁から延設するようにしてもかまわないし、玄関ポーチが道路と隣接している場合などは敷地を囲む塀を目隠し壁として兼用してもかまわない。
【００６１】
また、本実施形態では、目隠し壁３を立設して該目隠し壁にカウンター５を設置するようにしたが、必ずしも目隠し壁３を立設する必要はなく、敷地外領域からの視線を気にしなくてもよい場合などは、目隠し壁３を省略してもかまわない。上述した図３(a)では、カウンター５ａは、目隠し壁を省略してある。
【００６２】
また、本実施形態では、カウンター５を置物載置が可能な置物載置用カウンターとして兼用するようにしたが、場合によっては、置物載置用カウンターとして兼用しなくてもかまわない。
【００６３】
また、本実施形態では、カウンター５の上面を照らすダウンライト７を設置するように構成したが、カウンター５を置物載置用カウンターとして兼用しない場合は、ダウンライト７を省略してもかまわない。
【００６４】
また、本実施形態では、カウンター５の下方に玄関ポーチ３を照らすフットライト６を取り付けるように構成したが、ダウンライト７の場合と同様、場合によってはフットライト６を省略してもかまわない。
【００６５】
また、本実施形態では、カウンター５及びその下方に取り付けられるフットライト６について詳細に述べなかったが、かかるカウンター５及びフットライト６は、例えば図４に示す玄関ポーチ用カウンター１１として構成することができる。
【００６６】
玄関ポーチ用カウンター１１は、住宅の玄関ポーチ３に面する壁である目隠し壁４の側面に取り付けられるブラケット１２と該ブラケットの支持部１６、１７に取り付けられるカウンター天板１３とから構成してある。
【００６７】
ブラケット１２は、全体として扇形状をなすとともに、該ブラケットの天端である支持部１６、１７に取り付けられたカウンター天板１３の下面にフットライト１５を取り付けるための照明用開口１４を形成してある。
【００６８】
かかる場合においては、まず、玄関ポーチ用カウンター１１を目隠し壁４に取り付け、しかる後、ブラケット１２に形成された照明用開口１４にフットライト１５が配置されるようにカウンター天板１３の下面に該フットライトを取り付ける。
【００６９】
このようにすると、ブラケット１２と干渉することなくフットライト１５を取り付けることができるとともに、１つのフットライト１５でブラケット１３の両側に均等に配光することが可能となる。
【００７０】
また、上述したように、玄関ポーチ用カウンター１１においては、該玄関ポーチ用カウンターを設置した後にフットライト１５を取り付けることとなるが、これに代えて、図５に示すように、カウンター天板１３ａをブラケット１２ａに対して着脱自在とするとともに、フットライト１５をブラケット１２ａに取り付けて一体化した玄関ポーチ用カウンター１１ａとしてもかまわない。
【００７１】
ブラケット１２ａは、ブラケット１２と同様、フットライト１５を配置するための照明用開口１４を形成してあるが、その天端には、支持板２１を支持部として設けてあり、該支持板にカウンタ−天板１３ａ内に設けられた補強材２２を着脱自在に取り付けることができるようになっているとともに、支持板２１の下面にフットライト１５を該フットライトが照明用開口１４内に配置されるように固定してある。
【００７２】
玄関ポーチ用カウンター１１ａを取り付けるには、まず、ブラケット１２ａを目隠し壁４に固定し、次いで、カウンター天板１３ａをブラケット１２ａの支持板２１の上に載せ、かかる状態で支持板２１とカウンター天板１３ａの補強材２２とをビス止め等によって固定すればよい。
【００７３】
かかる玄関ポーチ用カウンター１１ａにおいては、フットライト１５が予めブラケット１２ａに先行取付けしてあるため、フットライト１５を別途取り付ける必要がなくなり、設置作業が簡易化される。
【００７４】
また、カウンター天板１３ａを着脱自在としているため、用途や好みに応じてカウンター天板１３ａを適宜選択したり、傷んだり古くなったりしたカウンター天板１３ａを新しいものに取り替えたりすることも可能となる。
【００７５】
（第２実施形態）
【００７６】
次に、第２実施形態に係る住宅の玄関ポーチ構造について説明する。なお、第１実施形態と実質的に同一の部品等については同一の符号を付してその説明を省略する。
【００７７】
図６は、本実施形態に係る住宅の玄関ポーチ構造を示した図であり、同図に示したように、本実施形態に係る住宅の玄関ポーチ構造３１は、住宅の玄関２の屋外側に矩形状の玄関ポーチ３を設けてあるが、該玄関ポーチには玄関ドア８と対向する位置に目隠し壁３４を立設してあり、該目隠し壁の玄関ポーチ３側に、荷物の仮置きが可能な仮置き用カウンター３２、３２及び腰掛けが可能な腰掛け用カウンター３３をそれぞれ設置してある。
【００７８】
ここで、腰掛け用カウンター３３は目隠し壁３４の中央近傍に設置してあるとともに、該腰掛け用カウンターの両側方に仮置き用カウンター３３、３３をそれぞれ隣接配置してある。
【００７９】
目隠し壁３４は、道路や隣地といった敷地外領域からの視線から仮置き用カウンター３２及び腰掛け用カウンター３３を遮ることができるよう、玄関ポーチ３に沿って玄関ドア８と対向するようにコの字状の独立壁として立設してある。なお、目隠し壁３４には、窓３５を設けてある。
【００８０】
仮置き用カウンター３２は、平面形状が矩形となるように構成してあり、その上面に荷物を仮置きできるようになっている。
【００８１】
腰掛け用カウンター３３も、仮置き用カウンター３２と同様、平面形状が矩形となるように構成してあり、腰掛けることができるようになっている。
【００８２】
なお、腰掛け用カウンター３３は、腰掛け易さを考慮してその設置高さを仮置き用カウンター３２よりも低く設定してある。
【００８３】
また、各仮置き用カウンター３２の下方には、該仮置き用カウンター３２の下面にフットライト６をそれぞれ取り付けてあり、仮置き用カウンター３２の下方を含む玄関ポーチ３を照らすようになっている。
【００８４】
本実施形態に係る住宅の玄関ポーチ構造３１においては、住宅の玄関ポーチ３に仮置き用カウンター３２及び腰掛け用カウンター３３を互いに隣接配置されるように設置してあり、帰宅時においては、まず、腰掛け用カウンター３３に腰掛けるとともに仮置き用カウンター３２に荷物を仮置きし、次いで鍵を取り出して玄関ドア８を解錠し、しかる後、仮置きした荷物を持って玄関２に入る。外出時においても同様であり、まず、腰掛け用カウンター３３に腰掛けるとともに仮置き用カウンター３２に荷物を仮置きし、次いで鍵を取り出して玄関ドア８を施錠し、しかる後、仮置きした荷物を持って外出する。
【００８５】
このようにすると、仮置き用カウンター３２に荷物を仮置きすることによって両手が自由になり、その状態で鍵を取り出して玄関ドア８の開閉を行うことが可能となるため、荷物が多かったり重かったりする場合でも開閉作業を容易に行うことができるとともに、かかる作業中、腰掛け用カウンター３３に腰掛けることができる。そのため、休息しながらの荷物の仮置きが可能となり、高齢者や身障者の場合には特に身体的負担が軽減される。
【００８６】
また、夜においては、フットライト６を点灯して、仮置き用カウンター３２の下方を含む玄関ポーチ３を照らす。
【００８７】
以上説明したように、本実施形態に係る住宅の玄関ポーチ構造３１によれば、住宅の玄関ポーチ３に荷物の仮置きが可能な仮置き用カウンター３２及腰掛けが可能な腰掛け用カウンター３３を設置したので、仮置き用カウンター３２に荷物を仮置きすることによって両手が自由になり、その状態で鍵を取り出して玄関ドア８の開閉を行うことが可能となるため、荷物が多かったり重かったりする場合でも開閉作業を容易に行うことができる。特に、高齢者や身障者にとっては玄関ドア８の開閉作業を行う際の負担が大幅に軽減される。また、歩行に供される玄関ポーチ３ではなく仮置き用カウンター３２に荷物を置くことになるため、荷物が汚れるおそれもない。
【００８８】
一方、腰掛け用カウンター３３は、腰掛けのためのスペースとして使用することができるため、例えば高齢者や身障者が腰掛けて休憩することが可能となる。
【００８９】
さらに、荷物を仮置きするための仮置き用カウンター３２と腰掛けるための腰掛け用カウンター３３とを互いに隣接配置したので、休息しながらの荷物の仮置きが可能となり、玄関ドア８の開閉作業の負担がより軽減される。
【００９０】
また、本実施形態に係る住宅の玄関ポーチ構造３１によれば、玄関ポーチ３に目隠し壁３４を立設し、該目隠し壁の玄関ポーチ３側に仮置き用カウンター３２及び腰掛け用カウンター３３を設置したので、目隠し壁３４によって道路等の敷地外領域からの視線から仮置き用カウンター３２及び腰掛け用カウンター３３が遮られるため、荷物を置いたり腰掛けたりした場合であっても敷地外領域からは見えにくく、玄関ポーチ３の意匠性が損なわれることはない。
【００９１】
また、本実施形態に係る住宅の玄関ポーチ構造３１によれば、仮置き用カウンター３２の下方に玄関ポーチ３を照らすフットライト６を取り付けたので、仮置き用カウンター３２で玄関の照明の光が遮られた玄関ポーチ３のコーナー部等をフットライト６で明るくして意匠性を高めることができるとともに、玄関ポーチ３中央部をも明るく照らすことが可能となる。
【００９２】
本実施形態では、仮置き用カウンター３２の下方に玄関ポーチ３を照らすフットライト６を取り付けるように構成したが、腰掛け用カウンター３３の下方にもフットライトを取り付けるようにしてもかまわないし、場合によってはフットライト６を省略してもかまわない。
【００９３】
また、本実施形態では特に言及しなかったが、仮置き用カウンター３２及び腰掛け用カウンター３３を置物載置が可能な置物載置用カウンターとして兼用するようにしてもかまわない。
【００９４】
このようにすると、来客時などには、仮置き用カウンター３２や腰掛け用カウンター３３を置物載置のためのスペースとして使用し、該置物載置用カウンターに花や置物などの観賞物を置くことによって、仮置き用カウンター３２や腰掛け用カウンター３３が飾り棚となり、玄関ポーチの意匠性が向上する。
【００９５】
また、本実施形態では特に言及しなかったが、仮置き用カウンター３２や腰掛け用カウンター３３を置物採用カウンターとして兼用する場合には、仮置き用カウンター３２又は腰掛け用カウンター３３の上面を照らすダウンライトを玄関ポーチ３の上方に設置してもかまわない。
【００９６】
このようにすると、置物載置用カウンターが玄関ポーチ３のコーナー部など玄関の照明が届きにくい場所に設けられている場合であっても、置物をライトアップする演出効果が期待できる。
【００９７】
また、本実施形態では、玄関ポーチ３の玄関ドア８に対向する位置に仮置き用カウンター３２を２箇所、腰掛け用カウンター３３を１箇所に設置するようにしたが、仮置き用カウンターと腰掛け用カウンターとが互いに隣接配置されているのであれば、設置する仮置き用カウンター及び腰掛け用カウンターの数や設置場所については任意である。
【００９８】
例えば、図７に示すように、玄関ドア８の脇に位置する外壁４５に仮置き用カウンター４２と腰掛け用カウンター４３とを互いに隣接配置した玄関ポーチ構造４１としてもかまわない。
【００９９】
腰掛け用カウンター４３は、平面形状が矩形となるように構成してあるとともに、仮置き用カウンター４２は、平面形状が概ね正方形となるように構成してあり、腰掛け用カウンター４３の玄関ドア８側上方位置に段状に設けてある。
【０１００】
なお、かかる変形例においては、腰掛け用カウンター４３の下面にフットライト６を取り付けてあるが、その作用効果は上述した実施形態と同様であるので、ここではその説明を省略する。
【０１０１】
また、本実施形態では、目隠し壁３４を独立壁として立設するようにしたが、住宅や玄関ポーチの配置等によっては、上述した図７(a)に示すように、独立壁とせずに住宅の外壁４６から延設した袖壁を目隠し壁４４とするようにしてもかまわない。また、玄関ポーチ３が道路と隣接している場合などは敷地を囲む塀を目隠し壁として兼用してもかまわない。
【０１０２】
また、本実施形態では特に言及しなかったが、目隠し壁３４を住宅の構造壁としたり、目隠し壁３４の壁体内に構造柱を設けたりしてもかまわない。
【０１０３】
また、本実施形態では、目隠し壁３４を立設して該目隠し壁に仮置き用カウンター３２及び腰掛け用カウンター３３を設置するようにしたが、必ずしも目隠し壁３４を立設する必要はなく、例えば、上述した図７に示す玄関ポーチ構造４１の場合において、敷地外領域からの視線を気にしなくてもよい場合などは、目隠し壁４４を省略してもかまわない。
【０１０４】
【発明の効果】
以上述べたように、本発明に係る住宅の玄関ポーチ構造によれば、カウンター又は仮置き用カウンターに荷物を仮置きすることによって両手が自由になり、その状態で鍵を取り出して玄関ドアの開閉を行うことが可能となるため、荷物が多かったり重かったりする場合でも開閉作業を容易に行うことができる。特に、高齢者や身障者にとっては玄関ドアの開閉作業を行う際の負担が大幅に軽減される。また、歩行に供される玄関ポーチではなくカウンター又は仮置き用カウンターに荷物を置くことになるため、荷物が汚れるおそれもない。
【０１０５】
一方、カウンター又は腰掛け用カウンターは、腰掛けのためのスペースとして使用することができるため、例えば高齢者や身障者が腰掛けて休憩することが可能となる。
【０１０６】
また、本発明に係る玄関ポーチ用カウンターによれば、カウンター天板を支持するためのブラケットが設けられている場合でも、ブラケットと干渉することなくフットライトを取り付けることができるとともに、１つのフットライトでブラケットの両側に均等に配光することが可能となる。
【０１０７】
【図面の簡単な説明】
【図１】第１実施形態に係る住宅の玄関ポーチ構造を示した平面図。
【図２】第１実施形態に係る住宅の玄関ポーチ構造を示した図で、図１のＡ−Ａ線に沿う断面図。
【図３】第１実施形態の変形例に係る住宅の玄関ポーチ構造を示した平面図。
【図４】第１実施形態の変形例に係る玄関ポーチ用カウンターを示した図で、(a)は側面図、(b)は(a)のＢ−Ｂ線に沿う水平断面図。
【図５】第１実施形態の別の変形例に係る玄関ポーチ用カウンターを示した図で、(a)は側面図、(b)は(a)のＣ−Ｃ線に沿う水平断面図。
【図６】第２実施形態に係る住宅の玄関ポーチ構造を示した図で、(a)は平面図、(b)は側面図。
【図７】第２実施形態の変形例に係る住宅の玄関ポーチ構造を示した図で、(a)は平面図、(b)は(a)のＤ−Ｄ線に沿う断面図。
【符号の説明】
１、３１、４１              住宅の玄関ポーチ構造
３                          玄関ポーチ
４、３４、４４              目隠し壁
５、５ａ                    カウンター
６、１５                    フットライト
７                          ダウンライト
１１、１１ａ                玄関ポーチ用カウンター
１２、１２ａ                ブラケット
１３、１３ａ                カウンター天板
１４                        照明用開口
１６                        支持部
２１                        支持板（支持部）
３２、４２                  仮置き用カウンター
３３、４３                  腰掛け用カウンター
【図１】
0003895594.tif 000002
【図２】
0003895594.tif 000003
【図３】
0003895594.tif 000004
【図４】
0003895594.tif 000005
【図５】
0003895594.tif 000006
【図６】
0003895594.tif 000007
【図７】
0003895594.tif 000008